(57)【要約】【課題】  複数の回転子を有する静電モータの構成を簡略化する。【解決手段】  例えば、指針式時計の分針２１Ａ及び時針２１Ｂの駆動源としての静電モータは、分針用静電モータ構成体Ａ上に、該分針用静電モータ構成体Ａと基本的に同じ構造の時針用静電モータ構成体Ｂが積層された構造となっている。静電モータ構成体は、固定子１の同一円周上に配置された複数の電極４とそれに対応する回転子１１のリング状の抵抗体層１４との間に発生するクーロン引力及びクーロン反発力により、回転子１１を回転させる構造となっているので、回転子１１に給電する必要がなく、構成を簡略化することができる。この場合、分針用静電モータ構成体Ａのカバー基板４１は時針用静電モータ構成体Ｂの固定子１を兼ねている。【選択図】  図１
2007202231.tif 000002
【特許請求の範囲】
【請求項１】
それぞれ同一円周上に複数の電極を有する複数の固定子と、前記固定子の電極に対応する部分にリング状の抵抗体層を有する複数の回転子とが交互に積層配置され、前記複数の回転子はその各回転中心が同一で相互に回転可能に配置されていることを特徴とする静電モータ。
【請求項２】
請求項１に記載の発明において、前記各固定子及びそれに対応する前記各回転子により複数の静電モータ構成体が積層構成され、前記静電モータ構成体はその回転子を覆うカバー基板を有することを特徴とする静電モータ。
【請求項３】
請求項２に記載の発明において、下側の前記静電モータ構成体のカバー基板は上側の前記静電モータ構成体の固定子を兼ねていることを特徴とする静電モータ。
【請求項４】
請求項３に記載の発明において、前記静電モータ構成体はその回転子の中心部に取り付けられた軸を有し、そのうちの下側の前記静電モータ構成体の軸はその上側の前記静電モータ構成体の固定子の中心部及び軸内を回転可能に貫通していることを特徴とする静電モータ。
【請求項５】
それぞれ同一円周上に複数の電極を有する複数の固定子と、前記固定子の電極に対応する部分にリング状の抵抗体層を有する複数の回転子とが交互に積層配置され、前記複数の回転子はその各回転中心が同一で相互に回転可能に配置された静電モータを用いたことを特徴とする時計モジュール。
【請求項６】
請求項５に記載の発明において、前記複数の回転子は指針式時計の運針を行うものであり、前記複数の回転子の各中心部に取り付けられた各軸には、時針、分針、秒針のうちいずれか１つが取り付けられていることを特徴とする時計モジュール。
【発明の詳細な説明】
【技術分野】
【０００１】
この発明は静電モータ及びそれを用いた時計モジュールに関する。
【背景技術】
【０００２】
従来の静電モータには、指針式時計に適用したものがある（例えば、特許文献１参照）。この静電モータでは、長さが異なる時針、分針及び秒針の各先端部に設けられた電極と、文字板の上面において各針の先端部に対応する３つの同心円上に設けられた複数ずつの電極との間に発生するクーロン引力及びクーロン反発力により、各針を時計方向に回転させるようにしている。
【０００３】
【特許文献１】特開２００５−１２７９６４号公報
【発明の開示】
【発明が解決しようとする課題】
【０００４】
しかしながら、上記従来の静電モータでは、文字板（固定子）上に３つの指針（回転子）を設け、各針の先端部に電極を設けているので、各針の電極への給電構造が複雑になってしまうという問題があった。また、電極が設けられた針の先端部のみが駆動力を受けるため、回転方向の力以外に高さ方向にも力を受けて針が傾き易く、針軸の摩擦抵抗が大きくなってしまうという問題があった。
【０００５】
そこで、この発明は、回転子に給電する必要がなく、また回転子の軸の摩擦抵抗を軽減することができる静電モータ及びそれを用いた時計モジュールを提供することを目的とする。
【課題を解決するための手段】
【０００６】
上記目的を達成するため、この発明の静電モータは、それぞれ同一円周上に複数の電極を有する複数の固定子と、前記固定子の電極に対応する部分にリング状の抵抗体層を有する複数の回転子とが交互に積層配置され、前記複数の回転子はその各回転中心が同一で相互に回転可能に配置されていることを特徴とするものである。
また、この発明の時計モジュールは、それぞれ同一円周上に複数の電極を有する複数の固定子と、前記固定子の電極に対応する部分にリング状の抵抗体層を有する複数の回転子とが交互に積層配置され、前記複数の回転子はその各回転中心が同一で相互に回転可能に配置された静電モータを用いたことを特徴とするものである。
【発明の効果】
【０００７】
この発明によれば、固定子の同一円周上に配置された複数の電極とそれに対応する回転子のリング状の抵抗体層との間に発生するクーロン引力及びクーロン反発力により、回転子を回転させることになるので、回転子に給電する必要がなく、構成を簡略化することができ、また、回転子を回転させるとき、回転子のリング状の抵抗体層全体が駆動力を受けるので、回転子の回転が安定し、回転子の軸の摩擦抵抗を軽減することができる。
【発明を実施するための最良の形態】
【０００８】
（第１実施形態）
図１はこの発明の第１実施形態としての静電モータを備えた指針式時計の一例の要部の断面図を示す。この指針式時計は、分針用静電モータ構成体Ａ及びその上に積層された時針用静電モータ構成体Ｂを備えている。分針用静電モータ構成体Ａ及び時針用静電モータ構成体Ｂは基本的には同じ構造であるので、代表として、分針用静電モータ構成体Ａについて説明し、必要に応じて、時針用静電モータ構成体Ｂについて説明する。（以下、符号Ａ、Ｂについて、ＡとＢの両方に対してひとつずつあるものは図面での表記は適宜省略されている。図１において、３、２１Ａ、２１Ｂ、６２、６３、６４、６５以外は、Ａ、Ｂそれぞれについてひとつずつ存在する。）
【０００９】
分針用静電モータ構成体Ａは、固定子１Ａ、回転子１１Ａ、分針軸２１Ａ、フレキシブル配線基板３１Ａ、カバー基板４１Ａ等を備えている。そして、固定子１Ａとカバー基板４１Ａとの間に挟まれ、フレキシブル配線基板３１Ａと後述する接着層５１Ａ、５２Ａとで囲まれた空間からなる回転子室６１Ａ内には回転子１１Ａが回転可能に配置されている。
【００１０】
この場合、カバー基板４１Ａは固定子１Ａ及び回転子１１Ａを保護するためのものであるが、時針用静電モータ構成体Ｂの固定子１Ｂを兼ねている。一方、時針用静電モータ構成体Ｂのカバー基板４１Ｂは、文字通り、カバーとしての機能のみを備えており、分針用静電モータ構成体Ａのカバー基板４１Ａの上面に後述の如く設けられた電極４Ｂ等は、時針用静電モータ構成体Ｂのカバー基板４１Ｂには設けられていない。
【００１１】
次に、図２は固定子１Ａの一部（絶縁膜１０Ａ）を省略した平面図を示す。固定子１Ａは、ガラス、セラミック、硬質樹脂等からなる円形状の基板２Ａを備えている。基板２Ａの上面（回転子１１Ａ側の面）中心部には円形状の軸支凹部３が設けられている。基板２Ａの上面外周部（同一円周上）にはアルミニウム系金属等からなる複数の電極４Ａが基板２Ａの中心を中心として放射状に設けられている。（固定子１Ｂの場合は軸支凹部３の部分が軸挿通孔４２Ａとなる以外は共通である。）
【００１２】
この場合、電極４（Ａ、Ｂ）（以下、Ａ、Ｂに共通なものは、符号Ａ、Ｂを適宜省略する。）の形状は、内側から外側に向かうに従って漸次幅広となるくさび形状である。電極４の径方向の長さは同じである。ここで、図２では、電極４及びその間の隙間の角度を見やすいように５°として図示しているが、時計用の電極なので、３°刻みが望ましい。その場合、１電極分のピッチが分針なら１分、時針なら１２分（秒針なら１秒）にそれぞれ対応することになる。もちろん、それ以下の角度として、より滑らかな動きを実現するようにしてもよい。
【００１３】
基板２の上面において、電極４配置領域の外側には給電用配線５がリング状に設けられ、電極４配置領域の内側には給電用配線６がリング状に設けられている。ここで、電極４は３相配線されている。すなわち、第１相、第２相の電極４は第１相給電用配線５、第２相給電用配線６に接続され、第３相の電極４は基板２上においてはどことも電気的に接続されていない。
【００１４】
そして、第１相、第２相の電極４の各所定の１つの上面外端部及び第３相の電極４の全ての上面外端部には金、銅等からなる第１相〜第３相の突起電極７、８、９が設けられている。電極４の外端部を除く表面には、図２では図示していないが、図１に示すように、絶縁膜１０が設けられている。この絶縁膜１０は、電極４の材料がアルミニウム系金属である場合には、酸化アルミニウムによって形成されている。
【００１５】
次に、図３は回転子１１Ａの平面図を示す。（Ｂについても同様なので、符号Ａ、Ｂを省略する。）回転子１１Ａは、ポリイミド、ポリエチレンナフタレート、ポリエチレンテレフタレート等からなる円形状のベースフィルム１２Ａを備えている。ベースフィルム１２Ａの中心部には円形状の軸取付孔１３Ａが設けられている。ベースフィルム１２Ａの下面外周部には、例えば、カーボンを含むウレタン樹脂の塗布により、リング状の抵抗体層１４Ａが設けられている。
【００１６】
ここで、ベースフィルム１２Ａの直径は、図２に示す固定子１Ａの電極４Ａ配置領域の外径よりもある程度小さくなっている（図１参照）。抵抗体層１４Ａの内径は、図２に示す固定子１Ａの電極４Ａ配置領域の内径と同じとなっている（図１参照）。軸取付孔１３Ａの直径は、図１に示す分針軸２１Ａの直径よりもやや小さくなっている。
【００１７】
そして、図１に示すように、回転子１１Ａの軸取付孔１３Ａには分針軸２１Ａが圧入挿通されて取り付けられている。この場合、分針軸２１Ａの外周面において回転子１１Ａの軸取付孔１３Ａに取り付けられる部分には断面円弧形状のリング状の溝２２Ａが設けられている。分針軸２１Ａの下端部は、固定子１Ａの軸支凹部３内に回転可能に軸支されている。これにより、回転子１１Ａは分針軸２１Ａと共に固定子１Ａ上に回転可能に配置されている。
【００１８】
ここで、回転子１１において、リング状の抵抗体層１４をベースフィルム１２の上面外周部ではなく下面外周部に設けているのは、抵抗体層１４と固定子１上の電極４との間隔をなるべく小さくし、同じ駆動力ならば駆動電圧を下げ、同じ駆動電圧ならば駆動力を上げるためである。また、固定子１の電極４の表面に絶縁膜１０を設けているのは、回転子１１の抵抗体層１４の表面に絶縁膜を設けると回転子１１が重くなるので、回転子１１をなるべく軽くするためである。
【００１９】
次に、図４はフレキシブル配線基板３１の平面図を示す。フレキシブル配線基板３１は、リング状配線基板部３２の所定の箇所に外部接続用配線基板部３３が外側に突出されて設けられた構造となっている。リング状配線基板部３２の下面には第３相の接続用配線３４がほぼＣ字状に設けられている。この場合、第３相の接続用配線３４は、外部接続用配線基板部３３の近傍において切断されている。
【００２０】
リング状配線基板部３２の下面において、第３相の接続用配線３４の両端部間には２つの第１相、第２相の接続パッド３５、３６が設けられ、第３相の接続用配線３４の両端部及び所定の複数箇所には第３相の接続パッド３７が等間隔に設けられている。第１相、第２相の接続パッド３５、３６及び第３相の接続用配線３４の一端部に設けられた第３相の接続パッド３７は、外部接続用配線基板部３３及びその近傍のリング状配線基板部３２の下面に設けられた３本の第１相〜第３相の外部接続用配線３８、３９、４０に接続されている。
【００２１】
ここで、図１に示すように、リング状配線基板部３２の外径は固定子１の直径と同じとなっており、内径は回転子１１の直径よりもある程度大きくなっている。図４に示す第１相〜第３相の接続パッド３５、３６、３７は、図２に示す固定子１の第１相〜第３相の突起電極７、８、９に対応する位置に配置されている。
【００２２】
そして、図１に示すように、フレキシブル配線基板３１のリング状配線基板部３２の下面は、固定子１の上面外周部にリング状の接着層５１を介して接着されている。この状態では、特に、固定子１の第１相〜第３相の突起電極７、８、９は、接着層５１に食い込んで、フレキシブル配線基板３１の第１相〜第３相の接続パッド３５、３６、３７に接続されている。
【００２３】
これにより、図２及び図４を参照して説明すると、第１相の外部接続用配線３８は、第１相の接続パッド３５、第１相の突起電極７及び第１相の給電用配線５を介して第１相の電極４の全てに接続されている。第２相の外部接続用配線３９は、第２相の接続パッド３６、第２相の突起電極８及び第２相の給電用配線６を介して第２相の電極４の全てに接続されている。第３相の外部接続用配線４０は、第３相の接続用配線３４、第３相の接続パッド３７及び第３相の突起電極９を介して第３相の電極４の全てに接続されている。
【００２４】
フレキシブル配線基板３１のリング状配線基板部３２の上面には円形状のカバー基板４１の下面外周部がリング状の接着層５２を介して接着されている。そして、フレキシブル配線基板３１のリング状配線基板部３２は、接着層５１、５２とともに、回転子室６１の壁の一部として機能する。
【００２５】
分針用静電モータ構成体Ａのカバー基板４１Ａは時針用静電モータ構成体Ｂの固定子１Ｂを兼ねており、分針用静電モータ構成体Ａ上には時針用静電モータ構成体Ｂが設けられている。時針用静電モータ構成体Ｂの回転子１１Ｂの中心部には円筒状の時針軸２１Ｂが取り付けられている。時針用静電モータ構成体Ｂのカバー基板４１Ｂの上面には文字板６２が設けられている。
【００２６】
時針軸２１Ｂは、時針用静電モータ構成体Ｂのカバー基板４１Ｂ及び文字板６２の中心部に設けられたカバー孔４２Ｂ及び文字板孔６３を回転可能に貫通して文字板６２の上側に突出されている。時針軸２１Ｂの突出部には時針６４の基端部が取り付けられている。分針軸２１Ａは、分針用静電モータ構成体Ａのカバー基板４１Ａのカバー孔４２Ａ（すなわち、時針用静電モータ構成体Ｂの固定子１Ｂの中心部）及び時針軸２１Ｂ内を回転可能に貫通して時針軸２１Ｂの上側に突出されている。分針軸２１Ａの突出部には分針６５の基端部が取り付けられている。
【００２７】
次に、図５はこの指針式時計に備えられた電子回路の一構成例を示す図である。この電子回路は、発振回路７１、分周回路７２、制御回路７３、分針駆動回路７４及び時針駆動回路７５を備えている。発振回路７１は分周回路７２と接続されている。分周回路７２は分針駆動回路７４及び時針駆動回路７６と接続されている。
【００２８】
制御回路７３は分周回路７２、分針駆動回路７４及び時針駆動回路７６と接続されている。また、制御回路７３は、図示しない操作釦と接続されている。この操作釦は、例えば、時刻調整のために各指針を運針させるための操作を行なうものである。分針駆動回路７４は、分針用静電モータ構成体Ａの固定子１Ａの電極４Ａ（図２参照）と接続されている。時針駆動回路７５は、時針用静電モータ構成体Ｂの固定子１Ｂの電極４Ｂと接続されている。
【００２９】
発振回路７１は、水晶振動子（図示せず）等を原振として、時間基準信号を分周回路７２に出力する。分周回路７２は、発振回路７１からの信号を入力して分周する。分針駆動回路７４は、分周回路７２が出力した信号に従って、後述の駆動方法による電圧を分針用静電モータ構成体Ａの電極４Ａに印加する。時針駆動回路７５は、分周回路７２が出力した信号に従って、同様の電圧を時針用静電モータ構成体Ｂの電極４Ｂに印加する。
【００３０】
次に、この指針式時計の静電モータ構成体の駆動方法の一例について説明する。ここで、固定子１上の３相配線された電極４への印加電圧が例えば正電圧、負電圧、０Ｖである場合には、以下の説明において、固定子１の電極４に電圧（＋、−、０）を印加するという。また、その電圧印加状態は、図６（Ａ）の下図のように示すこととする。ここで、図６（Ａ）の下図に示す固定子１においては、実線で区切られた各枡目は各電極４に対応するものである（以下同じ）。なお、図６では固定子側６極分、回転子側３極分のみを示す。
【００３１】
さて、充電工程において、図６（Ａ）の下図に示すように、固定子１の電極４（左側から３つずつの電極、以下同じ）に電圧（＋、−、０）を印加すると、回転子１１の抵抗体層１４の電極４と対向する領域に当該電極４の電荷と逆極性の電荷が充電（誘導）される（初期充電）。ここで、図６（Ａ）の上図に示す回転子１１の抵抗体層１４においては、点線で区切られた各枡目は各電極４に対応する領域である（以下同じ）。
【００３２】
次に、移動工程において、図６（Ｂ）の下図に示すように、固定子１の電極４に印加する電圧を（−、＋、−）に切り替えると、電極の電荷は瞬時に入れ替わるが、回転子１１側の電荷配置が新たな平衡状態に変化するには、ある程度の時間を要するので、切り替え直後は回転子１１側の電荷は保持されており、図６（Ｂ）の上図のような電荷配置となっている。
【００３３】
このとき、回転子１１の抵抗体層１４の電荷領域の電荷とその真下の固定子１の電極４の電荷とが同符号となる領域が現れ、その間にクーロン反発力が発生し、このクーロン反発力により、矢印で示すように、回転子１１を浮き上がらせようとする力が働き、回転子１１と固定子１との間の摩擦抵抗が軽減される。
【００３４】
そして、図６（Ｂ）においては、固定子１と回転子１１との横方向のクーロン引力及びクーロン反発力の釣り合いが崩れることにより、右方向の回転駆動力が発生し、図６（Ｃ）に示すように、回転子１１が固定子１上を右方向に１ピッチ（電極４の１電極分）移動し、停止する。
【００３５】
次に、移動中に回転子１１の電荷は一部失われるので、クーロン力（回転駆動力）が減少する。そこで、この力を維持して連続して駆動するために、図６（Ｃ）の状態で次の充電工程において、図６（Ｄ）の下図に示すように、固定子１の電極４に図６（Ａ）の下図から右方向に１ピッチ（１電極分）ずらした電圧（０、＋、−）を印加する。
【００３６】
すると、図６（Ｄ）の上図に示すように、回転子１１の抵抗体層１４の電極４と対向する領域に当該電極４の電荷と逆極性の電荷が再充電される。ここで、上記失われる電荷は全体の一部なので、再充電の時間は初期充電の時間よりも短くてよい。以下、上記と同様の工程が繰り返され、回転子１１が分針軸２１Ａ及び分針６５（時針軸２１Ｂ及び時針６４）と共に時計方向に１ピッチずつ回転される。
【００３７】
以上のように、この指針式時計では、固定子１の同一円周上に配置された複数の電極４とそれに対応する回転子１１のリング状の抵抗体層１４との間に発生するクーロン引力及びクーロン反発力により、回転子１１を回転させているので、回転子１１に給電する必要がなく、構造を簡略化することができる。また、回転子１１を回転させるとき、回転子１１のリング状の抵抗体層１４全体が駆動力を受け、回転子１１の回転が安定し、分針軸２１Ａ（時針軸２１Ｂ）の摩擦抵抗を軽減することができる。
【００３８】
（第２実施形態）
図７はこの発明の第２実施形態としての静電モータを備えた指針式時計の一例の要部の断面図を示す。この指針式時計において、図１に示す指針式時計と大きく異なる点は、フレキシブル配線基板３１及び接着層５１、５２を用いずに、カバー基板４１の下面に設けた接続パッド８５の部分と固定子１の電極４の部分とをリング状の異方性導電接着剤８６を介して接着した点である。この場合、固定子１とカバー基板４１との間に挟まれ、リング状の異方性導電接着剤８６で囲まれた空間からなる回転子室６１内には回転子１１が回転可能に配置されている。
【００３９】
次に、図８は固定子１の一部（絶縁膜１０）を省略した平面図を示す。この固定子１において、図２に示す固定子１と異なる点は、突起電極７、８、９を有せず、電極４の配置領域の外側に設けられた第１相の給電用配線５を切断してほぼＣ字状とし、第１相の給電用配線５の切断された部分の近傍における基板２の上面外周部に３つの第１相〜第３相の外部接続端子８１、８２、８３を設けた点である。
【００４０】
この場合、第１相の外部接続端子８１は、第１相の給電用配線５の一端部に接続され、且つ、第１相の給電用配線５を介して第１相の電極４の全てに接続されている。第２相の外部接続端子８２は、第２相の電極４の所定の１つに接続され、且つ、第２相の給電用配線６を介して第２相の電極４の残りの全てに接続されている。第３相の外部接続端子８３は、第３相の電極４の所定の１つに接続されている。
【００４１】
次に、図９は分針用静電モータ構成体Ａのカバー基板４１Ａの上面に設けられた各部（図８に示す各部）を省略した平面図を示す。（時針用静電モータ構成体Ｂについては、カバー基板４１Ｂの上面には図８に示す各部がないことを除き同様である。）カバー基板４１の下面外周部には第３相の接続配線８４がリング状に設けられている。カバー基板４１の下面の第３相の接続配線８４の内側において、図８に示す固定子１の第３相の電極４の外端部に対応する部分には、第３相の接続パッド８５が第３相の接続配線８４に接続されて設けられている。
【００４２】
そして、図７に示すように、カバー基板４１の下面外周部は、固定子１の上面外周部にリング状の異方性導電接着剤８６を介して接着されている。この場合、異方性導電接着剤８６は、図１０に示すように、熱硬化性樹脂からなる絶縁性接着剤８７中に導電性粒子８８を混入したものからなっている。そして、カバー基板４１の第３相の接続パッド８５は固定子１の第３相の電極４の外端部に異方性導電接着剤８６中の導電性粒子８８を介して電気的に接続されている。
【００４３】
ここで、図８に示すように、第３相の外部接続端子８３は第３相の電極４の所定の１つに接続されている。そして、この所定の１つの第３相の電極４は、その真上の図９に示す第３相の接続パッド８５に異方性導電接着剤８６中の導電性粒子８８を介して接続され、且つ、第３相の接続配線８４を介して残りの第３相の接続パッド８５に接続されている。残りの第３相の接続パッド８５は、図２に示す残りの第３相の電極４に異方性導電接着剤８６中の導電性粒子８８を介して接続されている。これにより、第３相の外部接続端子８３は第３相の電極４の全てに電気的に接続されている。
【００４４】
そして、この指針式時計でも、上記第１実施形態の場合と同様に、回転子１１を回転させるために回転子１１自体に給電する必要がなく、構造を簡略化することができ、また、回転子１１を回転させるとき、回転子１１のリング状の抵抗体層１４全体が駆動力を受け、回転子１１の回転が安定し、分針軸２１Ａ（時針軸２１Ｂ）の摩擦抵抗を軽減することができる。
【００４５】
（その他の実施形態）
上記各実施形態では、静電モータ構成体を２つ積層しているが、それ以上、例えば３つ積層してもよい。また、静電モータ構成体を３つ積層してなる静電モータを指針式時計に適用する場合には、３つの静電モータ構成体の各軸に秒針、分針及び時針を取り付けるようにしてもよい。
【００４６】
また、回転子１１のベースフィルム１２は、駆動時の負荷から考えると軽い方が望ましいため、比較的薄く、例えば１６〜２５μｍ厚程度に形成することが考えられる。しかしながら、ベースフィルム１２の厚さがこのように薄いと、ベースフィルム１２が柔らかくて撓み、ひいては回転子１１が撓んでその外周部が固定子の上面に接触し、その間の摩擦抵抗が大きくなってしまう。そこで、回転子１１と固定子１との間に直径１０μｍ程度のガラス等からなる摩擦抵抗低減用の球状粒子を介在させるようにしてもよい。
【００４７】
また、回転子室６１内にシリコンオイル等の液体を充填し、回転子１１と固定子１との間の摩擦抵抗の軽減と誘電率の増加を図るようにしてもよい。また、図１に示す指針式時計において、突起電極７、８、９及び接着層５１の代わりに、上記のような異方性導電接着剤を用いるようにしてもよい。
【図面の簡単な説明】
【００４８】
【図１】この発明の第１実施形態としての静電モータを備えた指針式時計の一例の要部の断面図。
【図２】図１に示す固定子の一部を省略した平面図。
【図３】図１に示す回転子の平面図。
【図４】図１に示すフレキシブル配線基板の平面図。
【図５】図１に示す指針式時計に備えられた電子回路の一構成例を示す図。
【図６】図１に示す静電モータ構成体の駆動方法の一例を説明するために示す図。
【図７】この発明の第２実施形態としての静電モータを備えた指針式時計の一例の要部の断面図。
【図８】図７に示す固定子の一部を省略した平面図。
【図９】図７に示す分針用静電モータ構成体のカバー基板の上面に設けられた各部を省略した平面図。
【図１０】図７に示す静電モータ構成体の異方性導電接着剤の部分の断面図。
【符号の説明】
【００４９】
Ａ  分針用静電モータ構成体
Ｂ  時針用静電モータ構成体
１  固定子
２  基板
３  軸支凹部
４  電極
５  第１相の給電用配線
６  第２相の給電用配線
７、８、９  突起電極
１１  回転子
１２  ベースフィルム
１３  軸取付孔
１４  抵抗体層
２１Ａ  分針軸
２１Ｂ  時針軸
３１  フレキシブル配線基板
３２  リング状配線基板部
３３  外部接続用線基板部
３４  第３相の接続用配線
３５、３６、３７  接続パッド
３８、３９、４０  外部接続用配線
４１  カバー基板
４２  軸挿通孔
５１、５２  接着層
６１  回転子室
【図１】
2007202231.tif 000003
【図２】
2007202231.tif 000004
【図３】
2007202231.tif 000005
【図４】
2007202231.tif 000006
【図５】
2007202231.tif 000007
【図６】
2007202231.tif 000008
【図７】
2007202231.tif 000009
【図８】
2007202231.tif 000010
【図９】
2007202231.tif 000011
【図１０】
2007202231.tif 000012